(57)【要約】洪水時にその奔流の排水機能を発揮して河川流による橋台背面領域（ＢＡ）の浸食や洗堀を抑制し、洪水奔流による脆性的な破壊を呈しない粘り強い強靭な耐久性を発揮する橋台背面領域（ＢＡ）の盛土構築工法およびその盛土構造体（１００）を提供すること。橋台背面領域（ＢＡ）の側縁に設置するふとん籠（１１１）とこのふとん籠（１１１）の底面から敷設する補強材（１１２）とで補強材一体型ふとん籠（１１０）を構成し、補強材（１１２）の上に補強用骨材材料（１２０）を締め固め、ふとん籠（１１１）に排水用骨材材料（１３０）を充填してふとん籠設置層（１１０Ａ）を造成し、橋梁（Ｂ１）と同程度の高さまでふとん籠設置層（１１０Ａ）を順次積層して一体化した盛土構造体（１００）を構築する。更にこの補強材一体型ふとん籠（１１０）を橋台背面領域（ＢＡ）の横断方向で相互に対向配置することも可能な盛土構築工法およびその盛土構造体。
2019208470.tif 000002
【特許請求の範囲】
【請求項１】
橋台に隣接する橋台背面領域の盛土構築工法であって、
前記橋台背面領域の側縁に沿って設置する直方体状のふとん籠と該ふとん籠の底面から連続して前記橋台背面領域の横断方向に向かって敷設するシート状の補強材とで補強材一体型ふとん籠を構成し、
該補強材一体型ふとん籠を前記橋台背面領域の少なくとも上流側に配置した後、前記補強材のシート面上に補強用骨材材料を締め固めるか、または、前記補強材のシート面上に複数のふとん籠を別途介在させ、前記ふとん籠の内部にそれぞれ排水用骨材材料を充填してふとん籠設置層を造成し、前記橋梁と同程度の高さまで前記ふとん籠設置層を順次積層して一体化した盛土構造体を構築することを特徴とする橋台背面領域の盛土構築工法。
【請求項２】
前記排水用骨材材料が、栗石や単粒砕石であることを特徴とする請求項１に記載された橋台背面領域の盛土構築工法。
【請求項３】
前記補強用骨材材料が、土砂またはクラッシャランであることを特徴とする請求項１または請求項２に記載された橋台背面領域の盛土構築工法。
【請求項４】
前記補強材一体型ふとん籠の補強材を、前記橋台背面領域の横断方向で相互に連結することを特徴とする請求項１乃至請求項３のいずれか１つに記載された橋台背面領域の盛土構築工法。
【請求項５】
前記補強材一体型ふとん籠の背面を、不織布でそれぞれ被覆することを特徴とする請求項１乃至請求項４のいずれか１つに記載された橋台背面領域の盛土構築工法。
【請求項６】
前記盛土構造体を、前記橋梁から延びる橋台背面領域の長手方向に沿って複数連続して配置することを特徴とする請求項１乃至請求項５のいずれか１つに記載された橋台背面領域の盛土構築工法。
【請求項７】
前記橋台に隣接する盛土構造体のふとん籠を、前記橋台に対して連結手段を介して連結することを特徴とする請求項１乃至請求項６のいずれか１つに記載された橋台背面領域の盛土構築工法。
【請求項８】
前記橋台背面領域の下層部位に位置するふとん籠設置層の補強材のシート面上に前記補強材一体型ふとん籠のふとん籠のみが複数追加配置され、
前記橋台背面領域の上層部位に位置するふとん籠設置層の補強材のシート面上に前記補強用骨材材料が締め固められることを特徴とする請求項１乃至請求項７のいずれか１つに記載された橋台背面領域の盛土構築工法。
【請求項９】
請求項１乃至請求項８のいずれか１つに記載された橋台背面領域の盛土構築工法によって構築されることを特徴とする橋台背面領域の盛土構造体。
【発明の詳細な説明】
【技術分野】
【０００１】
本発明は、透水性に優れたふとん籠とシート状の補強材とで構成される補強材一体型ふとん籠を用いて橋台背面領域の盛土構造体を構築し、洪水時における橋台背面領域に対する浸食や洗堀を抑制し、脆性的な破壊を呈しない粘り強い橋台背面領域の盛土構築工法およびその盛土構造体に関するものである。
【背景技術】
【０００２】
従来、橋台背面領域ＢＡには、図１０に示すように、架橋された橋梁Ｂ１の橋台Ｂ２に隣接する橋台背面領域ＢＡに橋梁Ｂ１へ通じる歩道、車道、鉄道軌道などを設けるために土砂を締め固めてなる盛土５００を構築している（例えば、特許文献１参照）。
【先行技術文献】
【特許文献】
【０００３】
【特許文献１】特開２００５−０１６１９６号公報
【発明の概要】
【発明が解決しようとする課題】
【０００４】
しかしながら、従来のような橋台背面領域ＢＡの盛土５００では、図１１に示すように、台風・豪雨時に河川が洪水となり、その奔流が流れを変え、橋台背面領域ＢＡの盛土５００に対して奔流側圧となり盛土５００が浸食や流出して、道路が陥没し、車が落下するなどの被害が生じるという問題があった。【０００５】
そこで、本発明は、前述したような従来技術の問題を解決するものであって、すなわち、本発明の目的は、洪水時にその奔流が橋台背面領域に達したとしても排水機能を発揮して洪水奔流による橋台背面領域の浸食や洗堀を抑制し、洪水奔流に対して脆性的な破壊を呈しない粘り強い強靭な耐久性を発揮する橋台背面領域の盛土構築工法およびその盛土構造体を提供することである。
【課題を解決するための手段】
【０００６】
本請求項１に係る発明は、橋台に隣接する橋台背面領域の盛土構築工法であって、前記橋台背面領域の側縁に沿って設置する直方体状のふとん籠と該ふとん籠の底面から連続して前記橋台背面領域の横断方向に向かって敷設するシート状の補強材とで補強材一体型ふとん籠を構成し、該補強材一体型ふとん籠を前記橋台背面領域の少なくとも上流側に配置した後、前記補強材のシート面上に補強用骨材材料を締め固めるか、または、前記補強材のシート面上に複数のふとん籠を別途介在させ、前記ふとん籠の内部にそれぞれ排水用骨材材料を充填してふとん籠設置層を造成し、前記橋梁と同程度の高さまで前記ふとん籠設置層を順次積層して一体化した盛土構造体を構築することにより前述した課題を解決するものである。
ここで、「橋台背面領域」とは、橋台の正面に対してその反対側となる橋台の背面に位置する領域をいう。【０００７】
本請求項２に係る発明は、請求項１に記載された橋台背面領域の盛土構築工法に加えて、前記排水用骨材材料が、栗石や単粒砕石であることにより、前述した課題をさらに解決するものである。【０００８】
本請求項３に係る発明は、請求項１または請求項２に記載された橋台背面領域の盛土構築工法に加えて、前記補強用骨材材料が、土砂またはクラッシャランであることにより、前述した課題をさらに解決するものである。【０００９】
本請求項４に係る発明は、請求項１乃至請求項３のいずれか１つに記載された橋台背面領域の盛土構築工法に加えて、前記補強材一体型ふとん籠の補強材を、前記橋台背面領域の横断方向で相互に連結することにより、前述した課題をさらに解決するものである。【００１０】
本請求項５に係る発明は、請求項１乃至請求項４のいずれか１つに記載された橋台背面領域の盛土構築工法に加えて、前記補強材一体型ふとん籠の背面を、不織布で被覆することにより、前述した課題をさらに解決するものである。【００１１】
本請求項６に係る発明は、請求項１乃至請求項５のいずれか１つに記載された橋台背面領域の盛土構築工法に加えて、前記盛土構造体を、前記橋梁から延びる橋台背面領域の長手方向に沿って複数連続して配置することにより、前述した課題をさらに解決するものである。【００１２】
本請求項７に係る発明は、請求項１乃至請求項６のいずれか１つに記載された橋台背面領域の盛土構築工法に加えて、前記橋台に隣接する盛土構造体のふとん籠を、前記橋台に対して連結手段を介して連結することにより、前述した課題をさらに解決するものである。【００１３】
本請求項８に係る発明は、請求項１乃至請求項７のいずれか１つに記載された橋台背面領域の盛土構築工法に加えて、前記橋台背面領域の下層部位に位置するふとん籠設置層の補強材のシート面上に前記補強材一体型ふとん籠のふとん籠のみが複数追加配置され、前記橋台背面領域の上層部位に位置するふとん籠設置層の補強材のシート面上に前記補強用骨材材料が締め固められることにより、前述した課題をさらに解決するものである。【００１４】
本請求項９に係る発明の洪水奔流に対する橋台背面領域の盛土構造体によれば、請求項１乃至請求項８のいずれか１つに記載された橋台背面領域の盛土構築工法によって構築されることにより、前述した課題を解決するものである。
【発明の効果】
【００１５】
本発明の橋台背面領域の盛土構築工法およびその盛土構造体は、橋梁の橋台に隣接する橋台背面領域に橋梁へ通じる歩道、車道、鉄道軌道などを設けることができるばかりでなく、以下のような特有の効果を奏することができる。【００１６】
本請求項１に係る発明の橋台背面領域の盛土構築工法によれば、橋台背面領域の側縁に沿って設置する直方体状のふとん籠とこのふとん籠の底面から連続して橋台背面領域の横断方向に向かって敷設するシート状の補強材とで補強材一体型ふとん籠を構成し、この補強材一体型ふとん籠を橋台背面領域の少なくとも上流側に配置することにより、洪水時におけるその奔流の側圧に対しても、盛土構造体の外郭を橋台背面領域の側縁に沿って確実に保持するため、洪水奔流時であっても橋台背面領域の洗掘、浸食を抑制することができる。
そして、補強材一体型ふとん籠を構成する補強材のシート面上に補強用骨材材料を締め固めるか、または、補強材のシート面上に複数のふとん籠を別途介在させ、ふとん籠の内部にそれぞれ排水用骨材材料を充填してふとん籠設置層を造成し、橋梁と同程度の高さまでふとん籠設置層を順次積層して一体化した盛土構造体を構築することにより、洪水時におけるその奔流の側圧に対しても、補強材一体型ふとん籠を配置したふとん籠設置層が、盛土構造体の脆性的な破壊を阻止するとともに、盛土構造体の上流側から押し寄せる洪水奔流を排水用骨材材料および補強用骨材材料を介して透水し、橋台背面領域の盛土構造体に生じがちな浸食、変形を大幅に抑制し、盛土構造体の粘り強い強靭な耐久性を発揮することができる。
なお、橋台背面領域の上流側と下流側との両側において、補強材一体型ふとん籠を橋台背面領域の横断方向で相互に対向配置した場合は、橋台背面領域に施工した盛土構造体の上流側から下流側への排水をより一層促進することができる。【００１７】
本請求項２に係る発明の橋台背面領域の盛土構築工法によれば、請求項１に係る発明が奏する効果に加えて、排水用骨材材料が、栗石や単粒砕石であることにより、ふとん籠の内部が、優れた透水性や排水性を発揮する栗石や単粒度材の排水用骨材材料で充填されるため、洪水奔流時に橋台背面領域の上流側より浸透した余分な水に起因する盛土構造体の脆弱性を解消することができる。【００１８】
本請求項３に係る発明の橋台背面領域の盛土構築工法によれば、請求項１または請求項２に係る発明が奏する効果に加えて、補強用骨材材料が土砂またはクラッシャランであることにより、補強用骨材材料が透水性や排水性に加えて重量的な形態安定性を発揮するため、強靭かつ安定したふとん籠設置層を構築することができる。【００１９】
本請求項４に係る発明の橋台背面領域の盛土構築工法によれば、請求項１乃至請求項３のいずれか１つに係る発明が奏する効果に加えて、補強材一体型ふとん籠の補強材を、橋台背面領域の横断方向で相互に連結することにより、相互に連結された補強材一体型ふとん籠が、洪水奔流の側圧を補強材一体型ふとん籠の相互で分散して吸収するため、洪水奔流の流速が増加しても盛土構造体の安定性を充分に確保することができる。【００２０】
本請求項５に係る発明の橋台背面領域の盛土構築工法によれば、請求項１乃至請求項４のいずれか１つに係る発明が奏する効果に加えて、補強材一体型ふとん籠の背面に不織布を被覆することにより、盛土構造体のふとん籠設置層に対する洪水奔流の流入・流下時に、不織布が補強用骨材材料の吸出しや吐き出しによる補強用骨材材料の流出を阻止するため、洪水奔流時であってもふとん籠設置層内に充填された補強用骨材材料を確実に保持してふとん籠設置層の沈下を抑制することができる。【００２１】
本請求項６に係る発明の橋台背面領域の盛土構築工法によれば、請求項１乃至請求項５のいずれか１つに係る発明が奏する効果に加えて、盛土構造体を、橋梁から延びる橋台背面領域の長手方向に沿って複数連続して配置することにより、洪水時にその奔流の側圧を受けても、この側圧を橋台背面領域の長手方向に沿って分散して軽減するため、橋台背面領域の耐久性を長期にわたって発揮することができる。【００２２】
本請求項７に係る発明の橋台背面領域の盛土構築工法によれば、請求項１乃至請求項６のいずれか１つに係る発明が奏する効果に加えて、橋台に隣接する盛土構造体のふとん籠を、橋台に対して連結手段を介して連結することにより、橋台とこの橋台に隣接する盛土構造体とが強固に連結されるため、洪水時にその奔流の側圧を受けても浸食、洗掘を阻止することができる。【００２３】
本請求項８に係る発明の橋台背面領域の盛土構築工法によれば、請求項１乃至請求項７のいずれか１つに係る発明が奏する効果に加えて、橋台背面領域の下層部位に位置するふとん籠設置層の補強材のシート面上に補強材一体型ふとん籠のふとん籠のみが複数追加配置され、橋台背面領域の上層部位に位置するふとん籠設置層の補強材のシート面上に補強用骨材材料が締め固められることにより、橋台背面領域の下層部位に造成されたふとん籠設置層が上層部位に造成されたふとん籠設置層よりも透水性、排水性が上回っているため、洪水奔流が橋台背面領域まで達した時から橋台背面領域の下層部位が洪水奔流の側圧を吸収し易くなるばかりでなく、洪水奔流が流れ易くなり、浸食現象を低減し、長期に亘って橋台背面領域の盛土構造体を安定的に保持することができる。【００２４】
本請求項９に係る発明の橋台背面領域の盛土構造体によれば、請求項１乃至請求項８のいずれか１つに記載された橋台背面領域の盛土構築工法によって構築されることにより、橋台背面領域の上流側から押し寄せる洪水奔流を排水用骨材材料および補強用骨材材料を介して透水し、盛土構造体の下流側へ随時排水するため、洪水奔流に対する排水機能を発揮して洪水奔流による浸食や補強用骨材材料の流出を防止し、洪水奔流に対して脆性的な破壊を呈しない粘り強い橋台背面領域の粘り強い強靭な耐久性を発揮することができる。
【図面の簡単な説明】
【００２５】
【図１】本発明の第１実施例である盛土構造体を構築する直前の橋台背面領域を示す図。
【図２】本発明の第１実施例である盛土構造体を構築する途中の橋台背面領域を示す図。
【図３】本発明の第１実施例である橋台背面領域に構築した盛土構造体を示す図。
【図４】本発明の第１実施例における補強材一体型ふとん籠の対向配置した組付けを示す概略図。
【図５】図４のＶ−Ｖ断面で見た盛土構造体に対する洪水時奔流の流れを示す図。
【図６】本発明で用いる補強材一体型ふとん籠を示す図。
【図７】本発明の第２実施例である橋台背面領域に構築した盛土構造体を示す図。
【図８】本発明の第２実施例における補強材一体型ふとん籠の対向配置した組付けを示す概略図。
【図９】図８のＩＸ−ＩＸ断面で見た盛土構造体に対する洪水時奔流の流れを示す図。
【図１０】従来例である橋台の橋台背面領域における背面盛土を示す図。
【図１１】従来例の橋台背面領域における背面盛土の浸食、流出状態を示す図。
【発明を実施するための形態】
【００２６】
本発明は、橋台に隣接する橋台背面領域の盛土構築工法であって、橋台背面領域の側縁に沿って設置する直方体状のふとん籠とこのふとん籠の底面から連続して橋台背面領域の横断方向に向かって敷設するシート状の補強材とで補強材一体型ふとん籠を構成し、この補強材一体型ふとん籠を前記橋台背面領域の少なくとも上流側に配置した後、補強材のシート面上に補強用骨材材料を締め固めるか、または、補強材のシート面上に複数のふとん籠を別途介在させ、ふとん籠の内部にそれぞれ排水用骨材材料を充填してふとん籠設置層を造成し、橋梁と同程度の高さまでふとん籠設置層を順次積層して一体化した盛土構造体を構築し、洪水時に奔流による橋台背面領域の浸食・盛土流出を防止し、洪水奔流に対して脆性的な破壊を呈しない粘り強い強靭な耐久性を発揮するものであれば、その具体的な実施態様は、如何なるものであっても構わない。
【００２７】
例えば、本発明が適用される橋台の橋台背面領域とは、橋梁の橋台に隣接し、橋梁へ通じる歩道、車道、鉄道軌道などを設けるための領域のことである。
そして、本発明で用いる補強材一体型ふとん籠については、橋台の橋台背面領域にて組み立てられても良く、橋台の橋台背面領域から離れた場所にて組み立てられた後に橋台の橋台背面領域に搬入されても良い。
また、この補強材一体型ふとん籠は、橋台背面領域の上流側のみに配置しても良いが、橋台背面領域の上流側と下流側との両側に配置しても良い。
さらに、本発明におけるシート状の補強材については、橋台背面領域の盛土構築状況を考慮すると、３〜１３ｍのシート長さを有するものが好ましい。
また、上述したふとん籠に充填する排水用骨材材料については、栗石であっても良いし、単粒度砕石であっても良い。
他方、上述した補強材一体型ふとん籠の補強材のシート面上に敷設される補強用骨材材料については、透水性、排水性を発揮する材料であることは当然であるが、排水用骨材材料よりも締固めし易く、排水用骨材材料よりも粒径の小さいものを含むのが良く、例えば、土砂やクラッシャランやレキ質材である。
なお、ここで、本発明で意味する「締め固めし易い」とは、具体的には、実際の工事現場で締め固めた骨材材料の測定から得られた乾燥密度と、基準の締め固め試験の最大乾燥密度との比で規定される締め固め度が９０％以上の状態となるクラッシャランやレキ質材などの骨材材料である。
【実施例１】
【００２８】
以下に、本発明の第１実施例である橋台背面領域の盛土構造体１００について、その盛土構築工法を図１乃至図７に基づいて説明する。
ここで、図１は、本発明の第１実施例である盛土構造体１００を構築する直前の橋台背面領域を示す図であり、図２は、本発明の第１実施例である盛土構造体１００を構築する途中の橋台背面領域を示す図であり、図３は、本発明の第１実施例である橋台背面領域に構築した盛土構造体１００を示す図であり、図４は、本発明の第１実施例における補強材一体型ふとん籠１１０の相互に対向した配置組付けを示す概略図であり、図５は、図４のＶ−Ｖ断面で見た盛土構造体１００に対する洪水時の氾濫した奔流の流れを示す図であり、図６は、本発明で用いる補強材一体型ふとん籠１１０を示す図である。【００２９】
まず、本発明の第１実施例である盛土構造体１００を構築する領域として、図１に示すような架橋する橋梁Ｂ１の橋台Ｂ２に隣接し、橋梁Ｂ１へ通じる歩道、車道、鉄道軌道などを設けるための橋台背面領域ＢＡを対象としている。
本発明の第１実施例である盛土構造体１００では、図２乃至図４に示すように、橋台背面領域ＢＡの側縁に沿って設置する直方体状のふとん籠１１１とこのふとん籠１１１の底面から連続して橋台背面領域ＢＡの横断方向に向かって敷設するシート状の補強材１１２とで補強材一体型ふとん籠１１０を構成し、この補強材一体型ふとん籠１１０が、橋台背面領域ＢＡの横断方向で同一の高さとなる施工位置で相互に対向配置される。
このように、補強材一体型ふとん籠１１０が橋台背面領域ＢＡで相互に対向配置されると、この補強材一体型ふとん籠１１０の補強材１１２のシート面上には、透水性や排水性に加えて重量的な形態安定性を発揮させるために土砂からなる補強用骨材材料１２０が締め固められ、他方、ふとん籠１１１の内部には、透水性や排水性を発揮させるために栗石からなる排水用骨材材料１３０が充填され、図２に示すように、ふとん籠設置層１１０Ａが順次造成される。【００３０】
そして、このようなふとん籠設置層１１０Ａが、図３で示すように、橋梁Ｂ１と同程度の高さとなる施工位置まで順次積層されることにより、一体化した盛土構造体１００が構築される。
なお、本実施例の盛土構造体１００では、１０層のふとん籠設置層１１０Ａを積層した場合を例示したが、その積層数は、橋梁Ｂ１の高さとの関係で任意に設定することができることは言うまでもない。【００３１】
さらに、この盛土構造体１００は、橋梁Ｂ１から延びる橋台背面領域ＢＡの長手方向に沿って複数連続して配置されることにより、洪水時に奔流の側圧を受けても、この側圧を橋台背面領域ＢＡの長手方向に沿って分散して軽減し、さらに、橋台Ｂ２に隣接する補強材一体型ふとん籠１１０のふとん籠１１１を橋台Ｂ２に対して横串状に挿通する鉄筋棒材などからなる連結手段１４０により連結することにより、橋台Ｂ２と強固に一体化している。
なお、本実施例では、図３に示すように、橋梁Ｂ１から延びる橋台背面領域ＢＡの長手方向に沿って盛土構造体１００を４体配置した場合を例示したが、その設置数は、橋梁Ｂ１へ通じる歩道、車道、鉄道軌道などを設けるための橋台背面領域ＢＡの状況に応じて任意に設定することができることは当然である。【００３２】
このようにして、図５の矢印に示すように、洪水時に盛土構造体１００の上流側から押し寄せる奔流の側圧に対しても、ふとん籠設置層１１０Ａが、盛土構造体１００の脆性的な破壊を阻止するとともに、盛土構造体１００の上流側から押し寄せる奔流を栗石からなる排水用骨材材料１３０および土砂からなる補強用骨材材料１２０を介して透水し、盛土構造体１００の下流側へ排水する。【００３３】
他方、橋台背面領域ＢＡの横断方向に対向配置した補強材一体型ふとん籠１１０の補強材１１２は、金属線からなる結束ワイヤー１５０などを用いて図４に示すように相互に連結される。
これにより、相互に連結された補強材一体型ふとん籠１１０が、奔流に起因して生じる橋台背面領域ＢＡに対する側圧を相互に分散して吸収し、洪水時に洪水奔流の流速が増加しても盛土構造体１００の安定性が充分に確保されている。【００３４】
また、上述したように、排水用骨材材料１３０として用いた栗石の粒径は、補強用骨材材料１２０として用いた土砂の粒径よりも大きく、その結果、補強材１１２のシート面上の空間Ｓ２に締固めた補強用骨材材料１２０が、ふとん籠１１１の内部空間Ｓ１に充填した排水用骨材材料１３０よりも締固め度を大きくなる。
これにより、補強材１１２のシート面上の補強空間Ｓ２に締固めた補強用骨材材料１２０の単位体積当たりの重量が、ふとん籠１１１の内部空間Ｓ１に充填した排水用骨材材料１３０の単位体積当たりの重量よりも大きくなり、ふとん籠設置層１１０Ａが強靭かつ安定し、盛土構造体１００の粘り強い強靭な耐久性が発揮される。【００３５】
さらに、本実施例では、図４に示すように、補強材一体型ふとん籠１１０のふとん籠１１１の内側対向面、すなわち、後述する内側網面１１１ｄが、不織布１６０でそれぞれ被覆され、この不織布１６０が、洪水奔流の流入・流下時に生じがちなふとん籠１１１から作用する吸出しや吐き出しによる土砂１２０の流出を阻止し、洪水奔流時であってもふとん籠設置層１１０Ａ内に充填された土砂１２０を確実に保持してふとん籠設置層１１０Ａの沈下を抑制している。【００３６】
なお、最上層部位のふとん籠設置層１１０Ａの上部には、図３に示すように、橋梁Ｂ１へ通じる歩道、車道、鉄道軌道などが設けられることは言うまでもない。
また、本発明の第１実施例である盛土構造体１００の上流側および下流側の法面には、裾広がりの斜面を呈する盛土（図示しない）を施工しても構わない。【００３７】
そこで、本実施例の盛土構造体１００に特有の補強材一体型ふとん籠１１０について、その具体的な形態を図６に基づいて詳しく説明する。
図６に示すように、補強材一体型ふとん籠１１０のふとん籠１１１は、直方体形状の籠網体を構成する６つの保形面、すなわち、ふとん籠１１１の上面に配置する蓋状網面１１１ａと、この蓋状網面１１１ａに連続して順次形成される外側網面１１１ｂ、底網面１１１ｃ、内側網面１１１ｄと、これらに連結される２つの連結網面１１１ｅ、１１１ｅを備え、これらの６つの保形面で内部空間Ｓ１を画成している。
このようなふとん籠１１１の開閉自在な蓋状網面１１１ａを開くことにより、ふとん籠１１１の内部空間Ｓ１に、栗石からなる排水用骨材材料１３０が充填される。【００３８】
ここで、これら蓋状網面１１１ａ、外側網面１１１ｂ、底網面１１１ｃ、内側網面１１１ｄ、連結網面１１１ｅの網目の大きさについては、ふとん籠１１１の内部空間Ｓ１に充填される排水用骨材材料１３０よりも小さい網目寸法を有しているため、ふとん籠１１１の内部空間Ｓ１に充填される排水用骨材材料１３０がふとん籠１１１の外部に零れ落ちることがない。
なお、ふとん籠１１１の内部には、ふとん籠１１１の内部空間Ｓ１を複数の内部空間に仕切る仕切り保形部材が配置されていてもよい。
図６では、ふとん籠１１１の内部空間Ｓ１は、１つの仕切り保形部材により２つの内部空間に仕切られている。【００３９】
他方、図６に示すように、補強材一体型ふとん籠１１０のふとん籠１１１に連続する補強材１１２は、一枚物として連続的に構成されている。
これにより、シート状の補強材１１２は、ふとん籠１１１の底網面１１１ｃと面一状態で敷設されるため、ふとん籠１１１と補強材１１２との相互間で不要な緩みが生じることが無く、補強材一体型ふとん籠１１０の設置形態が長期に亘って安定している。
さらに、補強材一体型ふとん籠１１０のふとん籠１１１と補強材１１２とが一体となって洪水奔流による側圧を受けても、ふとん籠１１１の外側網面１１１ｂの前方への変形が抑制される。【００４０】
また、ふとん籠１１１および補強材１１２の素材については、例えば、通称ガルファンと呼ばれる溶融亜鉛に５％のアルミニウムを加えた合金をメッキした内部被覆に、樹脂コーティングなどによる外部被覆を施した鋼線１１２ａなどが用いられる。
これにより、樹脂からなる外部被覆が、耐摩耗性・耐酸性・耐アルカリ性があるので、鋼線１１２ａの摩耗や腐食による性能劣化を抑制して盛土構造体１００の剛性が長期的に保持される。
このような鋼線１１２ａを編むことにより、例えば、ふとん籠１１１および補強材１１２の網目内寸法が８０ｍｍ、１２０ｍｍとなる亀甲型網目状に形成する。
この亀甲型網目により、補強材一体型ふとん籠１１０は、外力に対する保形性を発揮するとともに通水性を発揮する。【００４１】
以上のようにして構築された本発明の第１実施例である盛土構造体１００では、洪水時に上流側から押し寄せる奔流の側圧に対しても、盛土構造体１００の外郭を橋台背面領域ＢＡの側縁に沿って確実に保持するため、洪水時であっても奔流による橋台背面領域ＢＡの洗掘、浸食を抑制することができる。
更に補強材一体型ふとん籠１１０を橋台背面領域ＢＡの横断方向で相互に対向配置することにより、下流側に奔流を流すことが容易となるため、より信頼性の高い盛土構造体を施工することができる。【００４２】
そして、補強材１１２のシート面上に土砂からなる補強用骨材材料１２０を締め固め、ふとん籠１１１の内部に栗石からなる排水用骨材材料１３０を充填してふとん籠設置層１１０Ａを造成し、橋梁Ｂ１と同程度の高さまでふとん籠設置層１１０Ａを順次積層して一体化した盛土構造体１００を構築したことにより、洪水時に上流側から押し寄せる洪水奔流の側圧に対しても、補強材一体ふとん籠１１０を配置したふとん籠設置層１１０Ａが、盛土構造体１００の脆性的な破壊を阻止するとともに、上流側から押し寄せる奔流を土砂からなる補強用骨材材料１２０および栗石からなる排水用骨材材料１３０を介して透水し、橋台背面領域ＢＡの盛土構造体１００に生じがちな浸食、変形を大幅に抑制し、粘り強い強靭な耐久性を発揮することができる。
更に補強材一体型ふとん籠１１０を橋台背面領域ＢＡの横断方向で相互に対向配置することも可能なことにより、下流側に奔流を流すことが容易となるため、より信頼性の高い盛土構造体を施工することができる。
【実施例２】
【００４３】
以下に、本発明の一実施例である橋台背面領域の盛土構造体２００について、その盛土構築工法を図７乃至図９に基づいて説明する。
ここで、図７は、本発明の第２実施例である橋台背面領域ＢＡに構築した盛土構造体２００を示す図であり、図８は、本発明の第２実施例における補強材一体型ふとん籠２１０の相互に対応配置した組付けを示す概略図であり、図９は、図８のＩＸ−ＩＸ断面で見た盛土構造体２００に対する洪水の流れを示す図である。【００４４】
本発明の第２実施例である盛土構造体２００は、第１実施例の盛土構造体１００における補強材一体型ふとん籠２１０の組付け形態を橋台背面領域ＢＡの高さ方向で変更したものであり、その他の構成については第１実施例の盛土構造体１００と共通するので、共通する構成については、下２桁が共通する２００番台の符号を付し、その詳しい説明を省略する。【００４５】
そこで、本発明の第２実施例の盛土構造体２００は、図８乃至図９に示すように、まず、橋台背面領域ＢＡの下層部位に位置する５層のふとん籠設置層２１０Ａの補強材２１２のシート面上に、補強材一体型ふとん籠２１０のふとん籠２１１のみを複数追加配置され、次いで、前述した第１実施例と同様に、橋台背面領域ＢＡの上層部位に位置する５層のふとん籠設置層２１０Ａの補強材２１２のシート面上に土砂からなる補強用骨材材料２２０が締め固められて構築されている。  【００４６】
なお、本実施例の盛土構造体２００では、橋台背面領域ＢＡの下層部位に栗石からなる排水用骨材材料２３０を充填したふとん籠２１１のみを配置した５層のふとん籠設置層２１０Ａを設け、橋台背面領域ＢＡの上層部位に栗石からなる排水用骨材材料２３０を充填したふとん籠２１１と補強材２１２のシート面上に締め固めた土砂からなる補強用骨材材料２２０とで構成された５層のふとん籠設置層２１０Ａを設けたが、これらの積層数は、任意に設定することができる。【００４７】
また、図８の下層部位に位置するふとん籠設置層２１０Ａに示すように、橋台背面領域ＢＡの下層部位に位置するふとん籠設置層２１０Ａの補強材２１２のシート面上に配置されるふとん籠２１１は、橋台背面領域ＢＡの側縁に沿って設置した直方体状のふとん籠２１１と同じもの、すなわち、補強材一体型ふとん籠２１０の補強材２１２を除いたふとん籠２１１と同じものを使用している。【００４８】
以上のようにして構築された本発明の第２実施例である盛土構造体２００では、前述した本発明の第１実施例である盛土構造体１００が奏する効果に加えて、図９の矢印で示すように、橋台背面領域ＢＡの下層部位に造成された栗石のみからなるふとん籠設置層２１０Ａが、橋台背面領域ＢＡの上層部位に造成された栗石と土砂からなるふとん籠設置層２１０Ａよりも透水性、排水性が上回り、洪水奔流が橋台背面領域ＢＡまで達した時から橋台背面領域ＢＡの下層部位がその奔流の側圧を吸収し易くなるばかりでなく、洪水奔流が流れ易くなり、浸食現象を低減し、長期に亘って橋台背面領域ＢＡの盛土構造体２００を安定的に保持し、しかも、橋台背面領域ＢＡ周辺の氾濫も防止することができるなど、その効果は甚大である。
【符号の説明】
【００４９】
１００  、２００  ・・・盛土構造体
１１０  、２１０  ・・・補強材一体型ふとん籠
１１０Ａ・・・ふとん籠設置層
１１１  、２１１  ・・・ふとん籠
１１１ａ・・・蓋状網面
１１１ｂ・・・外側網面
１１１ｃ・・・底網面
１１１ｄ・・・内側網面
１１１ｅ・・・連結網面
１１２  、２１２  ・・・補強材
１１２ａ・・・鋼線
１２０  、２２０  ・・・補強用骨材材料（土砂）
１３０  、２３０  ・・・排水用骨材材料（栗石）
１４０  ・・・連結手段（鉄筋棒材）
１５０  ・・・結束ワイヤー
１６０  ・・・不織布
Ｂ１・・・橋梁
Ｂ２・・・橋台
ＢＡ・・・橋台背面領域
Ｓ１・・・内部空間
Ｓ２・・・補強空間
【図１】
2019208470.tif 000003
【図２】
2019208470.tif 000004
【図３】
2019208470.tif 000005
【図４】
2019208470.tif 000006
【図５】
2019208470.tif 000007
【図６】
2019208470.tif 000008
【図７】
2019208470.tif 000009
【図８】
2019208470.tif 000010
【図９】
2019208470.tif 000011
【図１０】
2019208470.tif 000012
【図１１】
2019208470.tif 000013
【国際調査報告】
2019208470.tif 000014
2019208470.tif 000015